(57)【要約】【課題】効率よくコンピュータルーム内のエアフローを冷却すること。【解決手段】吸気面を向かい合わせたサーバラック２０及び空調機３０を搭載し、サーバラック２０の間の床面に排気口６２を設けたシステム床６０とサーバラック２０の背面から排気された空気を吸入する吸気口５２及び５４を設けたシステム天井５０との間の室内空間１００と、システム天井５０とスラブ天井１０との間の天井空間と、システム床６０と底床１３との間の床下空間とを備えたコンピュータルームであって、梁１２を長手方向且つ空気流に沿って湾曲して覆う梁カバー７０と、梁カバー７０内の梁１２との空間に配置され冷却媒体を循環させる冷却管７２とを設けたコンピュータルーム。【選択図】図１
2017033134.tif 000002
【特許請求の範囲】
【請求項１】
長手方向に延びる梁がスラブ天井から突出した天井空間にサーバラックからの排気により暖められた空気流を流通させ、該空気流を空調機によって冷却し、サーバラックの吸気面に供給するコンピュータルームであって、
前記スラブ天井から突出する梁を長手方向且つ空気流に沿って湾曲して覆う梁カバーと、該梁カバー内の梁との空間に配置され冷却媒体を循環させる冷却管とを設けたコンピュータルーム。
【請求項２】
吸気面を向かい合わせた複数台のサーバラック及び空調機を搭載し、サーバラックの吸気面の間に排気口を開口したシステム床とサーバラックの背面から排気された空気を吸入する吸気口を開口したシステム天井との間の室内空間と、前記システム天井と梁を有するスラブ天井との間の天井空間と、前記システム床と底床との間の床下空間とを備え、前記天井空間にサーバラックからの排気により暖められた空気流を流通させ、該空気流を空調機によって冷却し、サーバラックの吸気面に供給するコンピュータルームであって、
前記梁を長手方向且つ空気流に沿って湾曲して覆う梁カバーと、該梁カバー内の梁との空間に配置され冷却媒体を循環させる冷却管とを設けたコンピュータルーム。
【請求項３】
前記冷却管が循環する冷却媒体が冷水又は冷風である請求項１から２のいずれか１項に記載のコンピュータルーム。
【請求項４】
長手方向に延びる梁がスラブ天井から突出した天井空間にサーバラックからの排気により暖められた空気流を流通させ、該空気流を空調機によって冷却し、サーバラックの吸気面に供給するコンピュータルームの冷却方法であって、
前記スラブ天井から突出する梁を長手方向且つ空気流に沿って湾曲して覆う梁カバーと、該梁カバー内の梁との空間に配置され冷却媒体を循環させる冷却管とを設け、該冷却管に冷却媒体を循環させることにより、天井空間内を通る空気流を冷却するコンピュータルームの冷却方法。
【請求項５】
吸気面を向かい合わせた複数台のサーバラック及び空調機を搭載し、サーバラックの吸気面の間に排気口を開口したシステム床とサーバラックの背面から排気された空気を吸入する吸気口を開口したシステム天井との間の室内空間と、前記システム天井と梁を有するスラブ天井との間の天井空間と、前記システム床と底床との間の床下空間とを備え、前記天井空間にサーバラックからの排気により暖められた空気流を流通させ、該空気流を空調機によって冷却し、サーバラックの吸気面に供給するコンピュータルームの冷却方法であって、
前記梁を長手方向且つ空気流に沿って湾曲して覆う梁カバーと、該梁カバー内の梁との空間に配置され冷却媒体を循環させる冷却管とを設けたコンピュータルームの冷却方法。
【請求項６】
前記冷却管に冷却媒体として冷水又は冷風を循環させる請求項４から５のいずれか１項に記載のコンピュータルームの冷却方法。
【発明の詳細な説明】
【技術分野】
【０００１】
本発明は、外気を混入させることなく空調機の冷却効率を向上することができるコンピュータルーム及びコンピュータルームの冷却方法に関する。
【背景技術】
【０００２】
一般にコンピュータルーム、例えばサーバルームは、多数のコンピュータ機器を搭載したサーバラックを多数台接続したサーバラック群を間隔を開けて並設設置し、多数のサーバラックから発生する熱を効率よく冷却することが望まれている。
【０００３】
一般にコンピュータ機器を搭載するサーバラックは、保守員等が操作する前面から外気を吸入し、コンピュータ機器による熱を含む熱風を背面から排出する。このため、従来技術によるサーバルームにおけるサーバラック群は、例えば、サーバラック群の正面を向かい合わせて配置し、この向かい合ったサーバラック群の間にシステム床（フリーアクセスフロア）から空調機により冷却した冷風を排気してサーバラック群に吸気させ、サーバラックにより暖められた熱風をシステム天井（サーバラック群が配置された室内上の天井空間）を通して空調機に吸入させ、循環させるように構成されている。
【０００４】
なお、従来技術によるサーバルームの冷却技術が記載された文献としては、下記の特許文献１が挙げられる。この特許文献１には、「ラックに収容された情報機器からの熱気をサーバルーム内の外周部に設けた空調機に環流させて空気循環を行うサーバルームにおいて、サーバルームの壁面であって前記空調機の近傍の位置に外気導入用の換気扇を設け、サーバルーム上部に排気用の換気扇を設けた」との記載がある。
【先行技術文献】
【特許文献】
【０００５】
【特許文献１】特開２０１１−１５９１４４号公報
【発明の概要】
【発明が解決しようとする課題】
【０００６】
前述の特許文献１に記載された技術は、吸入した外気をサーバルーム内のエアフローに混入させて空調機により冷却することによって、空調機の負荷を低減することができる効果に留まる。
【０００７】
そこで、本発明では、外気を混入させることなく効率よくサーバルーム内のエアフローを改善し、外気を混入させることなく空調機の冷却効率を向上することができるコンピュータルーム及びコンピュータルームの冷却方法を提供することを目的とする。
【課題を解決するための手段】
【０００８】
本発明は、長手方向に延びる梁がスラブ天井から突出した天井空間にサーバラックからの排気により暖められた空気流を流通させ、該空気流を空調機によって冷却し、サーバラックの吸気面に供給するコンピュータルームにおいて、前記スラブ天井から突出する梁を長手方向且つ空気流に沿って湾曲して覆う梁カバーと、該梁カバー内の梁との空間に配置され冷却媒体を循環させる冷却管とを設けたことを特徴とする。
【０００９】
また、本発明は、吸気面を向かい合わせた複数台のサーバラック及び空調機を搭載し、サーバラックの吸気面の間に排気口を開口したシステム床とサーバラックの背面から排気された空気を吸入する吸気口を開口したシステム天井との間の室内空間と、前記システム天井と梁を有するスラブ天井との間の天井空間と、前記システム床と底床との間の床下空間とを備え、前記天井空間にサーバラックからの排気により暖められた空気流を流通させ、該空気流を空調機によって冷却し、サーバラックの吸気面に供給するによるコンピュータルーム及びコンピュータルームの冷却方法において、前記梁を長手方向且つ空気流に沿って湾曲して覆う梁カバーと、該梁カバー内の梁との空間に配置され冷却媒体を循環させる冷却管とを設けたことを特徴とする。
【発明の効果】
【００１０】
本発明によるコンピュータルーム及びコンピュータルームの冷却方法は、外気を混入させることなく効率よくサーバルーム内のエアフローを冷却することができる。
【図面の簡単な説明】
【００１１】
【図１】本発明の実施例によるサーバルームの全体斜視図である。
【図２】本実施例によるサーバルームのエアフローを説明するための図である。
【発明を実施するための形態】
【００１２】
以下、本発明による実施例を説明する。
［構成］
本実施例による冷却方法を適用したコンピュータルームの一実施形態を図面を参照して詳細に説明する。
【００１３】
本実施形態によるコンピュータルームであるサーバルームは、図１に示す如く、正面を向かい合わせた複数台のサーバラック２０及び空調機３０を搭載し、床面に排気口６２が開口されたシステム床６０と吸気口５２及び５４を開口したシステム天井５０との間の室内空間１００と、前記システム天井５０と梁１２を有するスラブ天井１０との間の天井空間２００と、前記システム床６０と底床１３との間の床下空間３００とを有する。
【００１４】
前記空調機３０は、システム天井５０に開口した開口部から吸気管３２を介して天井空間２００内の空気を吸入し、冷却した空気を排気管３４を介して床下空間３００に排気することにより、システム床６０の一対のサーバラック２０の間に開口した排気口６２から冷却空気をサーバラック２０の正面（吸気面）から吸入させてサーバラック２０内のコンピュータ機器を冷却する。
【００１５】
このように構成されたサーバルームにおけるエアフローは、サーバラック２０の背面（排気面）からの空気流ａが熱により上昇した空気流ｂをシステム天井５０に設けた吸気口５２及び５４により天井空間２００に吸入させ、この天井空間２００内の空気流ｃを空調機３０の吸気管３２を介して吸入冷却し、排気管３４を介して床下空間３００に冷却した空気流ｅを排気し、床下空間３００を通った空気流ｆをシステム床６０に設けた排気口６２から冷却した空気流ｇとしてサーバラック２０の前面（吸気面）に供給するように構成される。
【００１６】
本実施形態によるサーバルームの天井空間２００には、スラブ天井１０から突出した梁１２が空気流の抵抗になるのを防止すると共に冷却を行うため、梁１２を長手方向且つ空気流に沿って湾曲して覆う梁カバー７０と、該梁カバー７０内の梁１２との空間に冷却水を循環させる冷却管７２とを設ける。前記梁カバー７０は、細長い梁１２の短手方向を湾曲して覆うように構成される。前記冷却管７２は、建屋の屋上等に設けられた空調機器（クーリングタワー）に配管され、管内部に冷却水を循環させるように構成されている。尚、循環させる媒体は水に限られるものではなく、冷却空気等であっても良く、梁カバー７０の材質は熱伝導性が高い材質、例えば、特開２０１５−９３７号公報に記載されたような熱伝導率を向上した熱伝導性樹脂組成物が望ましい。
【００１７】
このように構成されたサーバルームは、図２のエアフローに示す如く、空調機３０から床下空間３００に排出された冷風（ｅ，ｆ，ｇ）を熱源であるサーバラック２０の間に床下面から供給してサーバラック２０内のコンピュータ機器を冷却し、サーバラック２０の背面から温風として排気させ、この温風を天井空間２００に吸引し、天井空間２００を通った温風の空気流（ｃ，ｄ）を空調機３０が吸引冷却して循環する。
【００１８】
特に本実施形態によるサーバルームは、天井空間２００を通る空気流ｃが冷却管７２によって表面が冷やされた梁カバー７０の表面に沿って流れるため、空気流ｃの空気流を阻害しないと共に空気流ｃを冷却し、空調機３０に吸引する空気の温度を下げ、多数のサーバラックから発生する熱を効率よく冷却することができる。
【００１９】
なお、図２に示したエアフローを構成するためにサーバラック２０の上面には背面からの温風が前面に戻らないように遮蔽する遮蔽板を設けることや、吸気口５２及び５４からの吸気力を上げるために吸気用ファンを設けることや、床下空間３００かの冷風を室内空間１００に効率的に導くための遮蔽板を排気口６２の近傍に設けても良い。
【００２０】
特に本実施形態においては、従来技術によるサーバルームではスラブ天井から突出した梁が空気流を回転させて空気流の流れを阻害するものであったが、梁カバー７０の表面に沿って流すように構成したため、梁１２が天井空間２００における空気流を阻害することが低減し、効率の良いエアフローを形成し、且つ冷却された梁カバー７０の表面に沿って流すために空気流ｃの温度を下げることより空調機３０の冷却効率を向上することができる。
【００２１】
また、前記の実施形態においては、天井空間に突出する梁を梁カバーにより覆う例を説明したが、底床に梁が突出する場合、この底床の梁に梁カバーを施しても良く、天井空間の梁がクリーンルームの長手方向に延びる場合、この長手方向梁に沿って梁カバー及び冷却管を施しても良い。
【００２２】
また、前記実施形態においてはサーバラック群の吸気側である正面を向かい合わせて配置し、このサーバラック群の間に冷風を供給する例を説明したが、サーバラック群の排気側である背面を向かい合わせて配置し、サーバラック群の正面（吸気面）に冷風を供給し、サーバラック群間のシステム天井から排熱を天井空間に供給するエアフローのコンピュータルームやデータセンタルームにも適用することができる。
【符号の説明】
【００２３】
１０  スラブ天井、１２  梁、１３  底床、２０  サーバラック、３０  空調機、
３２  吸気管、３４  排気管、５０  システム天井、５２  吸気口、
６０  システム床、６２  排気口、７０  梁カバー、７２  冷却管、
１００  室内空間、２００  天井空間、３００  床下空間
【図１】
2017033134.tif 000003
【図２】
2017033134.tif 000004